(57)【要約】【課題】畝間の窪んだ谷部に溜まった水を効果的に排水が可能であり、畝間の窪んだ谷部の雑草発生を防止すると共に、病害の発生を防止できる農業用マルチ資材及び農業用フィルム資材を提供すること。【解決手段】圃場に形成された複数の畝１０の盛り上がった上面部と、隣接する畝間に形成される窪んだ谷部１１とを被覆する長尺状の農業用マルチ資材１の少なくとも前記窪んだ谷部１１を被覆する領域に、中心から距離をおいて放射状に配置された複数本の直線状のスリット群からなる通水部１３を有し、該通水部１３の中心部１８には、前記スリットが配置されない非通水領域１９が形成されていることを特徴とする。【選択図】図１
2019208467.tif 000002
【特許請求の範囲】
【請求項１】
圃場に形成された複数の畝の盛り上がった上面部と、隣接する畝間に形成される窪んだ谷部とを被覆する長尺状の農業用マルチ資材の少なくとも前記窪んだ谷部を被覆する領域に、
中心から距離をおいて放射状に配置された複数本の直線状のスリット群からなる通水部を有し、該通水部の中心部には、前記スリットが配置されない非通水領域が形成されていることを特徴とする農業用マルチ資材。
【請求項２】
１枚の長尺状の農業用マルチ資材は、２〜４本の各々の畝の盛り上がった上面部と、前記畝間の窪んだ谷部と、前記畝の両最外側に形成される窪んだ谷部とを、被覆可能であることを特徴とする請求項１記載の農業用マルチ資材。
【請求項３】
前記スリット群は、５本〜８本のスリットが放射状に配置されており、該スリットの内端部を繋げた仮想線によって画定される領域が前記中心部を為すことを特徴とする請求項１又は２記載の農業用マルチ資材。
【請求項４】
前記スリットの長さＬは、３ｍｍ〜１５ｍｍであることを特徴とする請求項１、２又は３記載の農業用マルチ資材。
【請求項５】
前記通水部の中心部に形成される前記非通水領域の直径は、３ｍｍ〜１０ｍｍであることを特徴とする請求項１〜４の何れかに記載の農業用マルチ資材。
【請求項６】
前記スリットが、レーザー加工により形成されることを特徴とする請求項１〜５の何れかに記載の農業用マルチ資材。
【請求項７】
窪んだ谷部を被覆可能な長尺状の農業用フィルム資材であり、
前記窪んだ谷部を被覆する領域に、中心から距離をおいて放射状に配置された複数本の直線状のスリット群からなる通水部を有し、該通水部の中心部には、前記スリットが配置されない非通水領域が形成されていることを特徴とする農業用フィルム資材。
【発明の詳細な説明】
【技術分野】
【０００１】
本発明は、農業用マルチ資材及び農業用フィルム資材に関し、詳しくは畝の両側の窪んだ谷部から排水を効果的に行える農業用マルチ資材及び農業用フィルム資材に関する。
【背景技術】
【０００２】
従来、マルチ栽培においては、圃場に複数の畝を形成し、その各々の畝にマルチ資材を被覆している。従って各畝の間の窪んだ（凹んだ）位置の圃場には隣接するマルチ資材が重なり合った状態で被覆されている。このためその窪んだ谷部には雨水が溜まり、なかなか排水できないのが実情である。
【０００３】
かかる雨水の滞留は、湿害の問題を引き起こす問題がある。湿害は通常生育途中に病害が出やすい問題となって顕在化する。また雨水があると収穫時に作物を濡らして出荷の妨げになる問題もある。
【０００４】
このために特許文献１には畝の両側の傾斜面に排水孔を設ける技術が開示されている。しかし、特許文献１では畝間の谷部に溜まった水を排水できない欠点がある。
【先行技術文献】
【特許文献】
【０００５】
【特許文献１】特開昭６１−１０８３１０号公報
【発明の概要】
【発明が解決しようとする課題】
【０００６】
そこで、本発明は、畝間の窪んだ谷部に溜まった水を効果的に排水が可能であり、畝間の窪んだ谷部の雑草発生を防止すると共に、病害の発生を防止できる農業用マルチ資材及び農業用フィルム資材を提供することを課題とする。
更に、本発明の他の課題は、以下の記載によって明らかとなる。
【課題を解決するための手段】
【０００７】
上記課題は、以下の各発明によって解決される。
【０００８】
（請求項１）
圃場に形成された複数の畝の盛り上がった上面部と、隣接する畝間に形成される窪んだ谷部とを被覆する長尺状の農業用マルチ資材の少なくとも前記窪んだ谷部を被覆する領域に、
中心から距離をおいて放射状に配置された複数本の直線状のスリット群からなる通水部を有し、該通水部の中心部には、前記スリットが配置されない非通水領域が形成されていることを特徴とする農業用マルチ資材。
（請求項２）
１枚の長尺状の農業用マルチ資材は、２〜４本の各々の畝の盛り上がった上面部と、前記畝間の窪んだ谷部と、前記畝の両最外側に形成される窪んだ谷部とを、被覆可能であることを特徴とする請求項１記載の農業用マルチ資材。
（請求項３）
前記スリット群は、５本〜８本のスリットが放射状に配置されており、該スリットの内端部を繋げた仮想線によって画定される領域が前記中心部を為すことを特徴とする請求項１又は２記載の農業用マルチ資材。
（請求項４）
前記スリットの長さＬは、３ｍｍ〜１５ｍｍであることを特徴とする請求項１、２又は３記載の農業用マルチ資材。
（請求項５）
前記通水部の中心部に形成される前記非通水領域の直径は、３ｍｍ〜１０ｍｍであることを特徴とする請求項１〜４の何れかに記載の農業用マルチ資材。
（請求項６）
前記スリットが、レーザー加工により形成されることを特徴とする請求項１〜５の何れかに記載の農業用マルチ資材。
（請求項７）
窪んだ谷部を被覆可能な長尺状の農業用フィルム資材であり、
前記窪んだ谷部を被覆する領域に、中心から距離をおいて放射状に配置された複数本の直線状のスリット群からなる通水部を有し、該通水部の中心部には、前記スリットが配置されない非通水領域が形成されていることを特徴とする農業用フィルム資材。
【発明の効果】
【０００９】
本発明によれば、畝間の窪んだ谷部に溜まった水を効果的に排水が可能であり、畝間の窪んだ谷部の雑草発生を防止すると共に、病害の発生を防止できる農業用マルチ資材を提供することができる。
また本発明によれば、複数の畝の間に形成される窪んだ谷部や、排水を必要としたり、あるいは雑草防止を必要とするような谷部に敷設して用いることができる長尺状の農業用フィルム資材を提供できる。
【図面の簡単な説明】
【００１０】
【図１】圃場に形成された複数本の畝の上面、両側の窪んだ谷部を複数の長尺状の農業用マルチ資材で被覆している状態を示す図
【図２】図１の部分縦断面端面図
【図３】１枚の長尺状の農業用マルチ資材の一例を示す平面図
【図４】（ａ）は通水部の群における通水部の配列方向の一例を示す図、（ｂ）は同上の他の一例を示す図
【図５】図１に示す農業用マルチ資材の通水部の一例を示す拡大図
【図６】図１に示す農業用マルチ資材の通水部の他の一例を示す拡大図
【図７】スリットから水Ｗが抜けている状態を説明する図
【発明を実施するための形態】
【００１１】
以下、本発明の実施形態について図面を用いて説明する。
【００１２】
本発明の農業用マルチ資材は、フィルムや不織布などを用いることができるが、好ましいのはフィルムである。以下の説明ではフィルムについて言及する。
【００１３】
図１は、圃場に形成された複数本の畝の上面部、及び畝の上面部の両側の窪んだ谷部を複数の長尺状の農業用マルチ資材で被覆している状態を示す図であり、図１では、便宜上、７本の畝を被覆している状態を示す。図２は、図１の部分縦断面端面図であり、図３は、長尺状の農業用マルチ資材の一例を示す平面図である。
【００１４】
図１には、圃場に複数の畝１０が形成され、その複数の畝１０の上面部や窪んだ谷部１１を農業用マルチ資材１で被覆した状態が示されている。
また上記態様では、７本の畝が示されており、そのうちの２本の畝１０，１０に対して、1枚の農業用マルチ資材１が用いられている。
その場合、隣接する農業用マルチ資材１同士は、窪んだ谷部１１で重なっている。図においては、１００は重なり部を示している。
本発明においては、重なり部１００で重なっていても、窪んだ谷部１１からの水抜けは極めて良好であることが実験的に確認されている。
【００１５】
窪んだ谷部１１に位置する農業用マルチ資材１の上には、図示のように、農業用マルチ資材１の風等による捲れ上がりを防止するための覆土１２ｂが不連続に載置されていることが好ましい。
【００１６】
図２に示すように、例えば、４本の畝１０間には、窪んだ谷部１１が３個存在する。４本の畝１０のうち、一番左側の畝１０の左側にも窪んだ谷部１１が１個存在し（図示せず）、また４本の畝１０のうち、一番右側の畝１０の右側にも窪んだ谷部１１が１個存在する（図示せず）。従って、４本の畝１０の間や両側には、全部で５個の窪んだ谷部１１が存在する。
【００１７】
この実施形態では、畝２本を１枚の長尺状マルチフィルムで被覆する例を説明する。
【００１８】
４本の畝１０は、左から各々符合１０ａ、１０ｂ、１０ｃ、１０ｄとして表わされる。畝間に窪んだ谷部が形成されるので、窪んだ谷部１１は、左から各々符合１１ａ、１１ｂ、１１ｃとして表わされる。
【００１９】
畝２本を１枚の長尺状マルチフィルムで被覆する場合、そのフィルムは、図３に示すように、農業用マルチ資材１の幅方向Ｌの中央部に、栽培植物Ｐの植生領域１２が存在する。植生領域１２には、栽培植物Ｐを植生させる複数の植生孔１２ａが、農業用マルチ資材１の長さ方向（図３の上下方向）に沿って所定の間隔をおいて形成されている。
【００２０】
栽培植物Ｐは長手方向に１列に形成しても、２列又は３列に形成されてもよい。
【００２１】
ここでは円形に開口する植生孔１２ａを例示したが、−形状や×形状等のスリットからなるものであってもよい。また、植生孔１２ａはフィルム敷設の際に形成することもできるので、フィルム製造時には形成されていなくてもよい。
【００２２】
長尺状の農業用マルチ資材１の少なくとも前記窪んだ谷部１１を被覆する領域に、複数の通水部１３が形成されている。窪んだ谷部１１を被覆する領域は、畝の形状によって決まるので、畝の形状を特定した上で、当該窪んだ谷部１１を被覆する領域を特定することが好ましい。
【００２３】
通水部１３は、中心から距離をおいて放射状に配置された複数本の直線状のスリットからなるスリット群からなる。中心部から距離をおいて放射状に配置されているのは、放射の中心部で互いに繋がることのないようにするためである。
【００２４】
図３には、通水部１３が６個の通水部の群１３ａによって形成されている態様が示されている。
【００２５】
図３に示すように、通水部の群１３ａを、植生孔１２ａの所定の数毎に設けることが好ましい。図示の例では、植生孔１２ａの数２個に対して、通水部の群１３ａを１個設けた例が示されているが、これに限定されない。
また、６個の通水部の群１３ａの各々の間は、所定間隔が形成されていていてもよいし、形成されていなくてもよい。さらに、通水部の群１３ａの通水部１３の数は図示の例に限定されない。
【００２６】
例えば、図４（ａ）、図４（ｂ）に示すように、縦２列横４列で並ぶ８個の通水部１３の群１３ａであってもよいし（図４（ａ））。縦４列横２列で並ぶ８個の通水部１３の群１３ａであってもよい（図４（ｂ））。
【００２７】
図５は、通水部１３の拡大図である。
【００２８】
通水部１３は、５本のスリット１４からなるスリット群によって構成される。５本のスリット１４は、その各々の外端部１６を繋げた仮想上の直線が、正五角形を形作るように、等角度で放射状に配置されている。
【００２９】
各スリット１４は、放射の中心から距離を置いて配置されているため、スリット１４の内端部１５の各々を仮想線１７で繋げると、その仮想線によって画定される領域がスリット群の中心部１８を為す。
【００３０】
図５の例では、仮想線１７は、１点鎖線で示されている。図５の例では、仮想線１７は、円形で示されているが、多角形状でもよい。
【００３１】
仮想線１７によって画定される領域は、スリット１４が配置されない中心部１８であり、非通水領域１９を形成する。非通水領域１９は、所定の径を有する円形でもよいし、多角形状でもよい。  
【００３２】
非通水領域１９の直径は、３ｍｍ〜１０ｍｍであることが好ましい。３ｍｍよりも小さくなると、使用時にスリット１４が切れて中心部で繋がり易くなる。また、１０ｍｍよりも大きくなると、非通水領域１９が大きくなりすぎて、非通水領域１９に付着した又は移動した水（水滴）Ｗを何れかのスリット１４と接触させにくくなる。
【００３３】
本発明では、非通水領域１９の直径は、４ｍｍ〜８ｍｍとすることがより好ましく、５ｍｍ〜７ｍｍとすることがさらに好ましい。
なお、非通水領域１９の大きさは、非通水領域１９の形状を円形でない場合、円換算して、その径で表す。
【００３４】
通水部１３において、スリット群を構成するスリット１４の本数は、５本〜８本とすることが好ましい。この範囲であると、隣り合うスリット１４同士の間隔が短くなるため、水（水滴）Ｗとの接触率が高くなり、水捌け効率を高めることができるために好ましく、通水部１３における部分的な強度低下につながるおそれを解消でき、高い通水効率の確保と強度維持を図ることができて好ましい。
【００３５】
図５は、スリット１４を５本形成した例であり、図６は、スリット１４を６本形成した例である。
【００３６】
図５の例では、５本のスリット１４は、その各々の外端部１６を繋げた仮想上の直線が、正五角形を形作るように、等角度で放射状に配置されている。図６の例では、６本のスリット１４は、その各々の外端部１６を繋げた仮想上の直線が、正六角形を形作るように、等角度で放射状に配置されている。
【００３７】
図示しないが、７本のスリットは、その各々の外端部を繋げた仮想上の直線が、正七角形を形作るように、等角度で放射状に配置してもよいし、８本のスリットは、その各々の外端部を繋げた仮想上の直線が、正八角形を形作るように、等角度で放射状に配置してもよい。
【００３８】
図４、図５に示すスリット１４の長さＬは、２ｍｍ〜１５ｍｍとすることが好ましい。これよりも短くなると、スリットが点状となってしまい、通水部１３を水（水滴）Ｗと接触させにくくなる。
【００３９】
また、これよりも長くなると、使用時に風等によるはためきが発生して口開きを起こし易くなる。より好ましくは４ｍｍ〜１４ｍｍとすることであり、５ｍｍ〜１０ｍｍとすることがさらに好ましい。
【００４０】
スリット１４はそれぞれ内端部１５、外端部１６を結ぶ直線によって形成され、スリット１４の各々の長さは同一長さであることが好ましい。
【００４１】
また、通水部１３を構成するスリットは、幅（太さ）を有してもよいし、有しなくてもよい。スリットが幅を有する場合、その幅は格別限定されないが、例えば０．１ｍｍ〜０．８ｍｍとすることが好ましく、０．２ｍｍ〜０．４ｍｍとすることがさらに好ましい。
【００４２】
スリットが幅を有する場合の通水部１３における全スリットの総開口面積（単に開口面積ともいう）は、格別限定されないが、例えば２ｍｍ２〜８０ｍｍ２とすることが好ましく、５ｍｍ２〜５０ｍｍ２とすることがさらに好ましい。
【００４３】
本発明において、スリット１４は、レーザー加工により形成されることが好ましい。レーザー加工によると、スリット１４の両端に熱的に収縮された膨出部が形成され、その膨出部の存在によりスリット１４の両側で裂けていくことを防止できる。
【００４４】
本発明に用いられる農業用マルチ資材の樹脂としては、特に限定されないが、ポリオレフィン系樹脂や、生分解性樹脂などを挙げることができる。
【００４５】
ポリオレフィン系樹脂としては、低密度ポリエチレン（ＬＤＰＥ）、直鎖低密度ポリエチレン（ＬＬＤＰＥ）、メタロセン触媒型直鎖低密度ポリエチレン（ＬＬＤＰＥ：直鎖の炭素数が２〜８の範囲）などが挙げられる。
【００４６】
ポリオレフィン系樹脂を用いた農業用マルチ資材には、各種着色剤（黒、緑、白などの着色顔料）や各種安定剤などを添加してもよい。更に単層は勿論、多層フィルム（白層と黒層からなる２層フィルムなど）やフィルム幅方向に色違いがある配色フィルム（例えば幅方向に緑、黒、緑）でも構わない。
【００４７】
農業用マルチ資材を生分解性樹脂により構成する場合、生分解性樹脂としては、例えば、脂肪族ポリエステル、脂肪族ポリエステルアミド、又はでんぷん等の多糖類とプラスチックとの複合体等が挙げられる。
【００４８】
脂肪族ポリエステルとしては、ポリ乳酸、ポリグリコリドやポリラクチドのようなポリ（α−ヒドロキシカルボン酸）、ポリ−ε−カプロラクトン、ポリ−β−プロピオラクトン、ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート及びこれらとポリ−３−ヒドロキシバリレートやポリ−４−ヒドロキシブチレートとの共重合体のようなポリヒドロキシアルカノエート、ポリエチレンオキサレート、ポリエチレンサクシネート、ポリブチレンサクシネート、ポリブチレンアジペート、ポリブチレンセバケート、ポリヘキサメチレンセバケート、ポリネオペンチルオキサレート及びこれらの共重合体のようなグリコールとジカルボン酸との縮合体（ジイソシアネート化合物で鎖延長したウレタン縮合を有するものを含む）、ポリエステルカーボネート等が挙げられる。
【００４９】
脂肪族ポリエステルアミドの具体例としては、ポリ−ε−カプロラクトンとナイロン６のような脂肪族ポリアミドとの共重合体が挙げられる。
【００５０】
でんぷん等の多糖類とプラスチックとの複合体の具体例としては、でんぷんとポリビニルアルコールとの複合体、でんぷんとエチレンビニルアルコール共重合体との複合体、でんぷんとポリカプロラクトン等の脂肪族ポリエステルとの複合体、更にでんぷんと分解性を付与したポリエチレンとの複合体等が挙げられる。
【００５１】
次に、図７に基づいて、通水部１３を有する農業用マルチ資材の作用、効果について説明する。
【００５２】
雨水が降ると、その雨水は、窪んだ谷部１１に移動する。その雨水が、窪んだ谷部１１において、通水部１３のスリット上に移動すると、図７に示すように、移動する水ないし水滴Ｗは放射状に配置された何れかのスリット１４の任意の位置で移動速度を減速する。減速した水（水滴）Ｗは、毛管作用によって、スリット１４の長さ方向に亘って土壌中に浸透していく。
【００５３】
通水部１３の中心部はスリット１４がない非通水領域１９であるため、水がスリット１４に沿って通水部１３の中心部に集まってしまうことがなく、スリット１４に沿って放射状又は帯状に広がっていく。
【００５４】
このため、この農業用マルチ資材Ｆによれば、従来の丸孔からなる通水部のように、丸孔の開口に沿ってスポット状に浸透するだけにとどまるようなことがなく、水分をスリット１４に沿って径方向に放射状又は帯状に浸透させることができ、水はけが非常によくなる。
【００５５】
しかも、通水部１３は複数本の直線状のスリット１４の集合からなるため、水はけ効率を高めることができ、従来の丸孔からなる通水部に比べて直径を大きくしても、水分の蒸発や雑草の繁茂を招くおそれはない。後述する実施例で明らかなように、通水部１３だけの通水時間だけをみれば、通水部１３が丸孔形状の場合、スリット１４の集合からなる通水部１３の合計孔面積より、約１０倍の面積を有しているため、通水時間は約１／６になる。しかし、実際に窪んだ谷部１１に通水部１３が設けられた農業用マルチ資材Ｆを畝に引いて、窪んだ谷部１１に覆土した場合、面積差が約１０倍あるにもかかわらず、通水時間は、さほど変化がなかった。原因は定かじゃないが、スリット１４の集合からなる孔よりも面積の大きな丸孔の場合、その孔に砂に含まれる細かい粒子が入り込んで、通水を阻害すると推定される。つまり、本実施態様のスリット１４の集合からなる孔は、スリット１４自体に、砂に含まれる細かな粒子が入り込めず、通水を阻害しないため、面積差が約１０倍あるにも関わらず、通水時間がさほど変化がなかったのだと推定される。
【００５６】
そして、本実施形態のスリット１４の集合からなる通水部１３は、通水部１３の面積の約１０倍の孔面積を有する孔に比べて、農業用マルチ資材Ｆに対して、加工する面積が少なくなるため、農業用マルチ資材Ｆの耐久性を向上させることができると共に、同様な時間で通水できるという効果を有する。
【００５７】
従来、スリットは、単独では、切れやすく裂けやすく、好ましくないとされていたため丸孔が多かった。丸孔は裂けづらく、加工が容易であったからである。しかし、丸孔では、雑草が生えてしまう欠点があり、畝の両側のような場所では水はけも良くならないということが分かった。
【００５８】
本発明の単なるスリットではなく、特有のスリット郡を形成して、高い通水効率と雑草防止を図れ、かつ強度維持を図ることができるマルチ資材を提供できた。
【００５９】
次に、本発明の農業用フィルム資材は、複数の畝の間に形成される窪んだ谷部を被覆可能な長尺状の農業用フィルム資材であり、排水を必要としたり、あるいは雑草防止を必要とするような谷部に敷設して用いる資材である。マルチ栽培における畝間の窪んだ谷部に敷設して用いることは好ましいことである。
当該資材には、上述の通水部１３を有し、該通水部１３の中心部には、前記スリットが配置されない非通水領域が形成されていることを特徴とする。
かかる農業用フィルム資材は、例えば、３０ｃｍ〜５０ｃｍの幅の長尺状に形成され、谷部を被覆して、雑草防止や排水を可能にする効果を発揮する。
【実施例】
【００６０】
以下、実施例によって本発明の効果を例証する。
【００６１】
１．農業用マルチ資材の試験片の作製
試験片１
みかど化工社製ＫＯ白黒２層フィルム（商品名「ＫＯ白黒ダブルマルチ」（登録商標））を使用して、５０ｃｍ×５０ｃｍのフィルム片を切り出した。  
【００６２】
フィルム片の中央に、ＣＯ２ガスレーザー装置（出力：３０Ｗ）を用いて、正五角形状の放射状に配置させたストレート状のスリットからなる通水部（図２参照）を形成して試験片１とした。
スリット群はフィルム片に６個形成した。６個の孔面積の合計は、４９．８ｍｍ２であった。
【００６３】
比較試験片１
試験片１で得られたフィルム片の中央に、ＣＯ２ガスレーザー装置（出力：３０Ｗ）を用いて、丸孔３個を形成して比較試験片１とした。
【００６４】
３個の孔面積の合計は、５３０ｍｍ２であった。丸孔１個の径は１５ｍｍで、丸孔間隔を芯々間２５ｍｍとして直線状に数個配置した。
【００６５】
比較試験片２
試験片１で得られたフィルム片の中央に、ＣＯ２ガスレーザー装置（出力：３０Ｗ）を用いて、丸孔４個を形成して比較試験片２とした。
【００６６】
２個の孔面積の合計は、５６．５ｍｍ２であった。丸孔１個の径は６ｍｍで、丸孔間隔を芯々間４０ｍｍとして直線状に数個配置した。
【００６７】
２．通水試験
（１）通水試験１
上下開口の円筒体を用意し、円筒体の上面に上記の試験片を張って、輪ゴムで試験片を固定した。
円筒体の形状は、内径６０ｍｍ、外径８０ｍｍで、高さは１２０ｍｍであった。
試験片の上方から、水５００ｃｃを通水して、通水時間を計測した。同様の試験を３回行い、平均通水時間を求めた。その結果を表１に示した。
【００６８】
（２）通水試験２
【００６９】
実際の圃場を想定した通水試験である。円筒体の試験片を固定した側を下にして、圃場を想定した砂地に試験片を埋め込んだ。円筒体の内部には、何も充填されていない。
円筒体の内部に水を５００ｃｃ入れて、飽和状態からの吸水効果を確認し、その結果を表１に示した。
【００７０】
（３）通水試験３
【００７１】
通水試験２において、円筒体の内部に砂を１００ｃｃ入れ、水を１００ｃｃに代えた以外は同様にして飽和状態からの吸水効果を確認し、その結果を表１に示した。
【００７２】
【表１】
2019208467.tif 000003
【００７３】
＜評価＞
表１から、本実施形態に係る試験片１は、合計孔面積が一番小さいにも関わらず、砂地に埋め込んだ場合、砂地に埋め込み、更に砂を被せた場合共に、約１０倍の合計孔面積を有する比較試験片１と比べて遜色ない通水時間であった。このことから、フィルムの加工面積を小さくできる上に、効果的に排水が可能であることがわかる。
【符号の説明】
【００７４】
１：農業用マルチ資材
１０：畝
１１：窪んだ谷部
１２：植生領域
１２ａ：植生孔
１２ｂ：覆土
１３：通水部
１３ａ：通水部の群
１４：スリット
１５：内端部
１６：外端部
１７：仮想線
１８：中心部
１９：非通水領域
Ｐ：栽培植物
【図１】
2019208467.tif 000004
【図２】
2019208467.tif 000005
【図３】
2019208467.tif 000006
【図４】
2019208467.tif 000007
【図５】
2019208467.tif 000008
【図６】
2019208467.tif 000009
【図７】
2019208467.tif 000010